(57)【要約】【課題】雨具のフード部分が風で脱げるのを防止し、且つ、フード部分が顔の左右への移動に追随可能とする。【解決手段】フード部分１Ｄの生地の内面１ＤＣＩＳの内で前方中央部分１ＤＣＦＣに該当する部分には生地用の釦ＣＣＢが取り付けられ、右サイド部分１ＤＣＳＲに該当する部分には生地用の釦ＣＳＲＢが取り付けられ、左サイド部分１ＤＣＳＬに該当する部分には生地用の釦ＣＳＬＢが取り付けられている。バンド部分２の内面２ＩＳには、フード部分１Ｄの内面１ＤＣＩＳの釦ＣＣＢ，ＣＳＲＢ，ＣＳＬＢの取付け位置に対応して、バンド部分用の釦２ＣＢ，２ＳＲＢ，２ＳＬＢが取り付けられている。バンド部分２の釦２ＣＢはフード部分１Ｄの釦ＣＣＢに結合され、バンド部分２の釦２ＳＲＢ，２ＳＬＢは、それぞれ、フード部分１Ｄの釦ＣＳＲＢ，ＣＳＬＢに結合される。【選択図】図２
0003196478.tif 000002
【実用新案登録請求の範囲】
【請求項１】
フード部分と、
雨具装着者が前記フード部分を前記雨具装着者の頭に被った場合に、前記雨具装着者の前方から前記フード部分を眺めた際の正面視に於ける前記フード部分の生地の前方中央部分の内面、前記正面視に於ける前記フード部分の前記生地の右サイド部分の内面、及び、前記正面視に於ける前記フード部分の前記生地の左サイド部分の内面の、それぞれに取付けられているバンド部分と
を備えることを特徴とする、雨具。
【請求項２】
請求項１に記載の雨具であって、
前記バンド部分は、前記フード部分の前記生地の前記前方中央部分の前記内面に、少なくとも２箇所の部分との結合により取り付けられている
ことを特徴とする、雨具。
【請求項３】
請求項１又は２に記載の雨具であって、
前記バンド部分は、前記フード部分の前記生地の前記右サイド部分の前記内面に、少なくとも２箇所の部分との結合により取り付けられている
ことを特徴とする、雨具。
【請求項４】
請求項１乃至３の何れか１項に記載の雨具であって、
前記バンド部分は、前記フード部分の前記生地の前記左サイド部分の前記内面に、少なくとも２箇所の部分との結合により取り付けられている
ことを特徴とする、雨具。
【請求項５】
請求項１乃至４の何れか１項に記載の雨具であって、
前記バンド部分は、前記フード部分の前記生地の前記内面に対して、長さ調整可能で着脱自在に取り付けられている
ことを特徴とする、雨具。
【考案の詳細な説明】
【技術分野】
【０００１】
この考案は、雨具の構造に関する。
【背景技術】
【０００２】
雨降りの日に自転車に乗る場合には、両手で自転車のハンドルを把持することが出来ることから、合羽等の雨具を着用することが望ましい。そのために、種々の自転車用の雨具が提案されている（例えば、特許文献１を参照。）。
【先行技術文献】
【特許文献】
【０００３】
【特許文献１】特開２００６−２９９４９５号公報
【考案の概要】
【考案が解決しようとする課題】
【０００４】
ところで、自転車に乗って雨具を着用している場合には、雨具のフード部分が風に下方から煽られて脱げてしまう場合があり、或いは、運転中に運転者が顔を左右に動かす際にフード部分が顔の当該動きに追随し得ない為に視界を妨げる場合がある。これらの場合に、運転者が、一々フード部分をかぶり直し、又は、視界を妨げない様にフード部分を動かす動作を行うことは、自転車の操作中でもあることから、厄介なことであり且つ不快に感じられることでもある。
【０００５】
この様な問題点に対処するために、フード部分に紐が取り付けられている雨具が一般的に実用化されており、当該紐を引っ張って当該紐でフード部分を締め付けつつ当該紐を首回りに於いて結ぶことで、フード部分の脱げを防止すると共に、顔の左右への移動にフード部分が追随して視界を妨げない様にすることが可能となる。
【０００６】
しかしながら、雨で濡れたフード部分が頭にピッタリくっ付いた状態となり、斯かる状態は、見た目の上でも、又、感触的にも、好ましいとは言えない。特に、自転車を運転中に雨足がひどくなってきたのでフード部分を頭に被る動作を行う場合には、一旦、自転車を停止させてフード部分の紐の引っ張り及び結びの動作をしなければならず、斯かる面倒な作業が、フード部分を頭に被る毎に、運転者に求められる。そのため、従来の紐でフード部分を締め付ける構成を備えた雨具は、上記の問題点を抜本的に解決し得る手段とは成り得ていない。
【０００７】
尚、これらの問題点は、自転車乗用時の雨具のフード部分の着用に限られるものではなく、例えば釣り・ハイキング・バードウォッチング・野外でのカメラ撮影・ゴルフ等の種々の野外活動乃至は野外での趣味の活動を行う人が、雨具を着用し、且つ、フード部分をも着用する場合にも、同様に当てはまる問題点である。
【０００８】
この考案は、以上の問題点に鑑みて成されたものであり、その主目的は、雨具の着用者が雨具のフード部分を被った場合に於いても、１）フード部分を紐で結ぶ必要性が無く、２）フード部分が風に煽られて脱げてしまうことが無くて、且つ、３）顔を横に向けてもフード部分が顔の当該動きに追随して視界を妨げることが無い、雨具を提案する点にある。
【課題を解決するための手段】
【０００９】
本考案の主題に係る雨具は、フード部分と、雨具装着者が前記フード部分を前記雨具装着者の頭に被った場合に、前記雨具装着者の前方から前記フード部分を眺めた際の正面視に於ける前記フード部分の生地の前方中央部分の内面、前記正面視に於ける前記フード部分の前記生地の右サイド部分の内面、及び、前記正面視に於ける前記フード部分の前記生地の左サイド部分の内面の、それぞれに取付けられているバンド部分と、を備えることを特徴とする。
【考案の効果】
【００１０】
本考案の主題に係る雨具によれば、雨具装着時に於ける、１）顔を横に振る動作へのフード部分の追随可能性、及び、２）風の吹き上げによるフード部分の脱げの防止を、共に確実に実現することが出来ると共に、３）自転車の搭乗時又は釣り等のアウトドア活動時等に、フード部を頭に被るだけで確実に上記の効果１）及び２）を得ることが出来る。従って、本考案の主題に係る雨具によれば、フード部分の着用時に、フード部分を一々紐で結ぶ必要性は無くなり、フード部分を紐で結ぶことによる見栄えの悪さが生じることは無い。
【００１１】
特に、本考案の主題に係る雨具に於いて、バンド部分が前記フード部分の前記生地の前記前方中央部分の前記内面に対して少なくとも２箇所の部分との結合により取り付けられている場合には、フード部分を被る際にバンド部分の捩じれの発生を防止し得るという効果が得られる。
【００１２】
以下、本考案の様々な具体化を、添付図面を基に、その効果・利点と共に、詳述する。
【図面の簡単な説明】
【００１３】
【図１】本考案の実施の形態１に係る雨具を雨具装着者の前方から眺めた際の、当該雨具の正面視の構造を模式的に示す正面図である。
【図２】図１に記載の雨具のフード部分の生地の内面に取り付けられたバンド部分を透視しつつ当該フード部分を模式的に示す拡大正面図である。
【考案を実施するための形態】
【００１４】
（実施の形態１）
＜雨具の特徴点＞
本実施の形態に係る雨具の特徴点は、そのフード部分の構造にあり、要して、バンド部分が、フード部分の生地の内面の内で、正面視に於ける前方中央部分、正面視に於ける右サイド部分及び正面視に於ける左サイド部分の各部分に取付けられている点にある。
【００１５】
＜雨具の構造＞
図１は、本実施の形態に係る雨具１を、その前方から眺めた際の、当該雨具の正面視の構造を模式的に示す正面図である。ここで、雨具１の種類・材質等は、何ら、限定されるものではない。
【００１６】
図１に於いて、雨具１は、大要、胴体部１Ａ、左右の袖部１Ｂ，１Ｃ及びフード部分１Ｄを有する。ここで、胴体部１Ａの首回り部分に結合したフード部分１Ｄは、未使用時には丸められて収納可能な、ファスナー付きのタイプのものでも良い。
【００１７】
図１の正面視に於いては、図示及び理解の便宜上、フード部分１Ｄは、広げられた状態にあって、且つ、頭部に着用可能な状態として描かれている。そして、破線で示されるバンド部分２が、１）フード部分１Ｄの生地の前方中央部分１ＤＣＦＣの内面１ＤＣＩＳ、２）フード部分１Ｄの生地の右サイド部分１ＤＣＳＲの内面１ＤＣＩＳ、及び、３）フード部分１Ｄの生地の左サイド部分１ＤＣＳＬの内面１ＤＣＩＳの各々に、取付けられている。即ち、単体では真っ直ぐに延在するバンド部分２の略中央部の内面が、フード部分１Ｄの生地の前方中央部分１ＤＣＦＣの内面１ＤＣＩＳに取り付けられており、バンド部分２の一方の端部の内面が右サイド部分１ＤＣＳＲの内面１ＤＣＩＳに取り付けられており、バンド部分２の他方の端部の内面が左サイド部分１ＤＣＳＬの内面１ＤＣＩＳに取り付けられている。従って、バンド部分２は、フード部分１Ｄの生地の後頭部側部分の内面には、配設されていない。図１に示される様に、バンド部分２は、顔の額上部の髪の生え際部分及びその近傍部分に沿って、緩やかに湾曲しつつ延在している。尚、バンド部分２それ自体は、単体で、湾曲形状を有するものではない。
【００１８】
ここで、バンド部分２の材質・種類は限定されるものではない。望ましくは、肌触りの良さ及び人の頭部の額への圧力の弱さの観点から、伸縮自在なゴムバンドの様な弾性体バンドが、バンド部分２として用いられる。或いは、雄釦の機能を成す凸部が一方の面上に形成されたプラスチック性のバンドが、バンド部分２として用いられても良い。
【００１９】
更に、人の頭部の大きさの違いに応じて又は人の額部への圧力値の調整に応じて、バンド部分２の長さ調整を可能にすることが好ましい。そのために、バンド部分２は、フード部分１Ｄの生地の内面１ＤＣＩＳに対して、着脱自在に取り付けられていることとしても良い。その様な着脱自在を可能とする手段の一例として、バンド部分２の面と上記各内面との取付け結合は、釦留めでも良いし、又は、面ファスナー留めでも良い。勿論、バンド部分２の長さ調整を設定しない場合には、バンド部分２の面と上記各内面との取付け結合は糸による縫合で実現されていても良い。
【００２０】
更に、両手で同時に又は一方の片手で及びその後の他方の片手でフード部分１Ｄを頭に被る際に、バンド部分２の捩じれが生じない様にして、バンド部分２の肌触りを良くするために、バンド部分２の面と、フード部分１Ｄの生地の前方中央部分１ＤＣＦＣの内面１ＤＣＩＳとの結合は、少なくとも２箇所の部分との結合により実現されていても良い。そして、このバンド部分２の捩じれの発生をより確実に防止する観点から、更に、バンド部分２の面は、フード部分１Ｄの生地の右サイド部分１ＤＣＳＲ又は／及び左サイド部分１ＤＣＳＬの各内面／両内面１ＤＣＩＳに、少なくとも２箇所の部分との結合により取り付けられていても良い。
【００２１】
ここで、上記のフード部分１Ｄの生地の「前方中央部分１ＤＣＦＣ」とは、人がフード部分１Ｄを頭に被った際に於いて、人の頭の前頭部の内で、髪の毛が生えている部分から額の上部付近に至る部分の中央部に、対応する部分乃至は接触する部分である。又、フード部分１Ｄの生地の「右サイド部分１ＤＣＳＲ」とは、正面視に於ける人の顔の部分の内で正面視側の右耳付け根部分よりも上側寄り部分及びその近傍部分に該当する。同様に、フード部分１Ｄの生地の「左サイド部分１ＤＣＳＬ」とは、正面視に於ける人の顔の部分の内で正面視側の左耳付け根部分よりも上側寄り部分及びその近傍部分に該当する。
【００２２】
図１に於いて、参照符号１ＤＣＴは、フード部分１Ｄの生地の頭上部分であり、参照符号１ＤＥは、フード部分１Ｄの顔が出る枠部の上縁部である。
【００２３】
図２は、図１の雨具１のフード部分１Ｄの生地の内面１ＤＣＩＳに取り付けられたバンド部分２を透視して示しつつ、当該フード部分１Ｄの正面視に於ける構造を模式的に示す拡大正面図である。ここで、図２に示されるバンド部分２の取付け構造は、あくまでも一例である。本例では、「取付け手段」として、釦（雄釦及び雌釦の組み合わせ）を用いることで、バンド部分２の内面２ＩＳが、フード部分１Ｄの生地の対応する部分の内面１ＤＣＩＳに、取り付けられている。図２に於いて、参照符号１ＤＣＯＳは、フード部分１Ｄの生地の外面を示す。
【００２４】
図２に示す様に、フード部分１Ｄの生地の内面１ＤＣＩＳの内で前方中央部分１ＤＣＦＣに該当する部分には、図示の便宜上、破線で示される２個の生地用の第１釦ＣＣＢが取り付けられている。又、フード部分１Ｄの生地の内面１ＤＣＩＳの内で右サイド部分１ＤＣＳＲに該当する部分には、同じく破線で示される３個の生地用の第２釦ＣＳＲＢが取り付けられている。同様に、フード部分１Ｄの生地の内面１ＤＣＩＳの内で左サイド部分１ＤＣＳＬに該当する部分には、同じく破線で示される３個の生地用の第３釦ＣＳＬＢが取り付けられている。他方、バンド部分２の内面２ＩＳには、フード部分１Ｄの生地の内面１ＤＣＩＳの各部分１ＤＣＦＣ，１ＤＣＳＲ，１ＤＣＳＬの第１乃至第３釦ＣＣＢ，ＣＳＲＢ，ＣＳＬＢの取付け位置に対応する様に、バンド部分用のそれぞれ２個の第１乃至第３釦２ＣＢ，２ＳＲＢ，２ＳＬＢが取り付けられている。図２では、図示の便宜上、第１乃至第３釦２ＣＢ，２ＳＲＢ，２ＳＬＢは、黒丸として表示されている。尚、破線表示の参照符号１ＤＣＢは、フード部分１Ｄの生地の内で、人の頭の後頭部の中央部に該当する、正面視に於いて後方に位置する「後方中央部分」である。
【００２５】
又、バンド部分２の左右の各端部は、感触を良くし且つ摩擦力軽減防止の観点から、対応する人の耳に触れない位置に、配置される。
【００２６】
生地用の第２及び第３釦ＣＳＲＢ，ＣＳＬＢの各々の数が３個であるため、生地用の第２及び第３釦ＣＳＲＢ，ＣＳＬＢと、バンド部分用の第２及び第３釦２ＳＲＢ，２ＳＬＢとの組み合わせに応じて、バンド部分２の本体の長さが調整され得る。即ち、バンド部分２の前方中央部分側部分と右サイド部分側部分との間の長さ寸法、及び、バンド部分２の前方中央部分側部分と左サイド部分側部分との間の長さ寸法が、適宜に調整可能とされている。
【００２７】
上記の構成に於いて、バンド部分２の２個の第１釦２ＣＢは、それぞれ、フード部分１Ｄの生地の内面１ＤＣＩＳ側の第１釦ＣＣＢの対応する釦に、押し込まれて（嵌合されて）結合される。バンド部分２とフード部分１Ｄの生地の内面１ＤＣＩＳとの取り外しは、釦２ＣＢ，ＣＣＢを互いに取り外せば良いだけである。この点は、後述する他の釦同士の結合でも同様である。更に、バンド部分２の２個の第２釦２ＳＲＢは、それぞれ、適宜に選択された、フード部分１Ｄの生地の内面１ＤＣＩＳ側の第２釦ＣＳＲＢの内の隣り合う２個の釦に、押し込まれて結合される。この選択を変えることで、上記のバンド部分２の長さ調整が実現される。更に、バンド部分２の２個の第３釦２ＳＬＢは、それぞれ、適宜に選択された、フード部分１Ｄの生地の内面１ＤＣＩＳ側の第３釦ＣＳＬＢの内の隣り合う２個の釦に、押し込まれて結合される。同様に、この選択を変えることで、上記のバンド部分２の長さ調整が実現される。
【００２８】
以上の記載の構造により、バンド部分２は、フード部分１Ｄの生地の内面１ＤＣＩＳの内の、前方中央部分１ＤＣＦＣに該当する部分、右サイド部分１ＤＣＳＲに該当する部分及び左サイド部分１ＤＣＳＬに該当する部分の３つの部分に、長さ調整可能に着脱自在に取り付けられて、支持されている。
【００２９】
尚、バンド部分２の第２釦２ＳＲＢ及び第３釦２ＳＬＢの数は、１個でも良い。この場合でも、フード部分１Ｄの着用時に於けるバンド部分２の捩じれを防止することは可能である。そして、長さ調整の選択肢は多くなる。又、既述の通り、上記の釦に代えて、面ファスナーが用いられても良い。
【００３０】
＜雨具１のフード部分１Ｄの着用時の説明＞
図１及び図２のフード部分１Ｄを頭部に被った場合、バンド部分２の外面２ＯＳは、人の髪の毛の生え際近傍の額上部（中央部及びそれに連なるサイド部）又はその近傍に接触して額上部又は近傍に適度な圧力を加えるために、バンド部分２の外面２Ｓと人の前頭部との間に適度な摩擦が生じる。そのため、風によってフード部分１Ｄの口が煽られて浮き上がろうとしても、当該摩擦によって、フード部分１Ｄの捲り上がりが防止されて、フード部分１Ｄが脱げてしまう事態を防止し得る。加えて、当該摩擦によって、人が左右確認等のために横に顔を向けても、フード部分１Ｄはその顔の動きに追随してついて来ることが出来るので、顔の当該移動によりフード部分１Ｄが視界の妨げとなることが防止される。その結果、人は、顔を左右の横方向に動かす毎に、一々、視界を妨げるフード部分を動かして視界を確保する動作を、行わなくて済む。
【００３１】
しかも、バンド部分２の内面２ＩＳは、対応するフード部分１Ｄの生地の内面１ＤＣＩＳに、２個の釦２ＣＢ，２ＳＲＢ，２ＳＬＢ或いは面ファスナー等の取付け手段により着脱自在に取り付けられているので、フード部分１Ｄの着用時に際しても、バンド部分２が捩じれてしまうことが確実に防止される。
【００３２】
尚、第１釦２ＣＢ，ＣＣＢの数は、本例では２個であるが、３個でも良く、少なくとも２個に設定されれば良い。第２釦及び第３釦の数に関しても、同様に、長さ調整機能を考慮して、設定される。
【００３３】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００３４】
本考案は、例えば、自転車に乗車している人、雨降りの日に歩行している人、又は、釣り・カメラ撮影・バードウォッチング等のレジャー活動乃至は趣味の活動をしている人が着用する雨具に適用して好適である。
【符号の説明】
【００３５】
１    雨具
１Ｄ  フード部分
２    バンド部分
【図１】
0003196478.tif 000003
【図２】
0003196478.tif 000004